(57)【要約】      （修正有）【課題】例えば消防隊等が使用する消防用ホースに連結する等に好適な流体放出手段に係わり、特に、流水の流体力による反動力を低減させることができる上、照明手段等の各種付属装置が備えられた流体放出手段を提供する。【解決手段】ホース等に連結されるノズル部材を備えており、このノズル部材の少なくとも一部が布や、ゴム等の非金属材料となっており、消防従事者を冷却するための放水手段や、大地等の固定部に対して支持させるための支持手段や、照明手段、音響発生手段等が装着可能になっている。【選択図】図１
2005052203.tif 000002
【特許請求の範囲】
【請求項１】
ホース等に連結されるノズル部材を備えており、このノズル部材の少なくとも一部が布や、ゴム等の非金属材料で構成されている流体放出手段。
【請求項２】
消防隊用のホースに連結されるノズル部材を備えており、このノズル部材又は、該ノズル部材と前記ホースとを連結するための連結部材の少なくとも１方には、消防従事者を冷却するための放水手段を装着可能に構成されている流体放出手段。
【請求項３】
ホースに連結されるノズル部材を備えており、このノズル部材又は、該ノズル部材と前記ホースとを連結するための連結部材の少なくとも１方には、大地等の固定部に対して支持させるための支持手段を装着可能に構成されている流体放出手段。
【請求項４】
支持手段には、鉛直方向に高さ方向の調整が可能な高さ調整手段が設けられている請求項３記載の流体放出手段。
【請求項５】
支持手段には、放水方向の角度を調整するための角度調整手段が設けられている請求項３記載の流体放出手段。
【請求項６】
ホースに連結されるノズル部材を備えており、このノズル部材の放水口の開口形状が、少なくとも４角形である多角形となっている流体放出手段。
【請求項７】
ホースに連結されるノズル部材、該ノズル部材と前記ホースとを連結するための連結部材、前記ホースの少なくとも１つには、照明手段を装着可能に構成されている流体放出手段。
【請求項８】
ホースに連結されるノズル部材、該ノズル部材と前記ホースとを連結するための連結部材、前記ホースの少なくとも１つには、音響発生手段を装着可能に構成されている流体放出手段。
【請求項９】
流体を流入させるための流入口と、この流入口から流入された前記流体を第１の方向に流すための第１の流路と、この第１の流路からの流体を前記第１の方向と逆方向である第２の方向に方向変換させるための第１の方向変換手段と、この第１の方向変換手段で方向変換された流体を第２の方向に流すための第２の流路と、この第２の流路からの流体を前記第１の方向に方向変換させるための第２の方向変換手段と、この第２の方向変換手段で方向変換された流体を第１の方向に流すための第３の流路と、この第３の流路と連結された流出口とからなる反動低減装置を備えた請求項１から請求項９の何れか１項記載の流体放出手段。
【請求項１０】
流体を流入させるための流入口と、この流入口から流入された前記流体を、流入方向と反対方向に流下させるための流下部とからなる反動低減装置を備えた請求項１から請求項９の何れか１項記載の流体放出手段。
【請求項１１】
ノズル部材に連結されるホースが、消防隊用ホースである請求項１から請求項９の何れか１項記載の流体放出手段。
【発明の詳細な説明】
【０００１】
【発明の属する技術分野】
本発明は、例えば消防隊等が使用する消防用ホースに連結する等に好適な流体放出手段に係わり、特に、流水の流体力による反動力を低減させることができる上、照明手段等の各種付属装置が備えられた流体放出手段に関するものである。
【０００２】
【従来の技術】
従来から消防隊が、消火用ホースの先端部に使用する放水ノズルには、消防車等に搭載された消防ポンプから圧送された水圧（送水圧力）が印加されている。
この（送水圧力）は比較的高圧であり、この水圧の反動で放水ノズルが不規則な運動をしない様に、消防隊員等が人力で放水ノズルを支えて、不規則運動を防止させている。
【０００３】
【発明が解決しようとする課題】
しかしながら上記従来の消防隊が使用する放水ノズルは、屋根の上や、梯子の上等の足場の悪い場所で消火作業を行う場合には、放水ノズルの不規則運動により、消防隊員等の作業者に非常な危険を与える心配があった。
【０００４】
また放水ノズルは、一般的には金属製であり、放水ノズル自体の重量も大きいので、消防隊員等の作業者が長時間保持続けることは、体力を過剰に消耗し、極めて危険であるという問題点があった。
【０００５】
なお放水ノズルは、必ずしも一定の方向に位置決めされるものでなく、放水方向を上下左右に変更させなければならない場合も多く、放水ノズルの不規則運動に抗して適切な位置決めは極めて困難であった。特に、一般人の男性や、女性の場合には、放水ノズルの適切な位置決め等は困難を極めるという問題点があった
。
【０００６】
【課題を解決するための手段】
本発明は上記課題に鑑み案出されたもので、ホース等に連結されるノズル部材を備えており、このノズル部材の少なくとも一部が布や、ゴム等の非金属材料で構成されている。
【０００７】
更に本発明は、消防隊用のホースに連結されるノズル部材を備えており、このノズル部材又は、該ノズル部材と前記ホースとを連結するための連結部材の少なくとも１方には、消防従事者を冷却するための放水手段を装着可能に構成されている。
【０００８】
また本発明は、ホースに連結されるノズル部材を備えており、このノズル部材又は、該ノズル部材と前記ホースとを連結するための連結部材の少なくとも１方には、大地等の固定部に対して支持させるための支持手段を装着可能に構成されている。
【０００９】
そして本発明の支持手段には、鉛直方向に高さ方向の調整が可能な高さ調整手段を設ける構成にすることもできる。
【００１０】
更に本発明の支持手段には、放水方向の角度を調整するための角度調整手段を設ける構成にすることもできる。
【００１１】
また本発明は、ホースに連結されるノズル部材を備えており、このノズル部材の放水口の開口形状が、少なくとも４角形である多角形となっている。
【００１２】
そして本発明は、ホースに連結されるノズル部材、該ノズル部材と前記ホースとを連結するための連結部材、前記ホースの少なくとも１つには、照明手段を装着可能に構成されている。
【００１３】
更に本発明は、ホースに連結されるノズル部材、該ノズル部材と前記ホースとを連結するための連結部材、前記ホースの少なくとも１つには、音響発生手段を装着可能に構成されている。
【００１４】
また本発明は、流体を流入させるための流入口と、この流入口から流入された前記流体を第１の方向に流すための第１の流路と、この第１の流路からの流体を前記第１の方向と逆方向である第２の方向に方向変換させるための第１の方向変換手段と、この第１の方向変換手段で方向変換された流体を第２の方向に流すための第２の流路と、この第２の流路からの流体を前記第１の方向に方向変換させるための第２の方向変換手段と、この第２の方向変換手段で方向変換された流体を第１の方向に流すための第３の流路と、この第３の流路と連結された流出口とからなる反動低減装置を備えた構成にすることもできる。
【００１５】
更に本発明は、流体を流入させるための流入口と、この流入口から流入された前記流体を、流入方向と反対方向に流下させるための流下部とからなる反動低減装置を備えた構成にすることもできる。
【００１６】
そして本発明のノズル部材に連結されるホースが、消防隊用ホースにすることもできる。
【００１７】
【発明の実施の形態】
以上の様に構成された本発明は、ホース等に連結されるノズル部材を備えており、このノズル部材の少なくとも一部が布や、ゴム等の非金属材料となっている。
【００１８】
更に本発明は、消防隊用のホースに連結されるノズル部材を備えており、ノズル部材又は、ノズル部材とホースとを連結するための連結部材の少なくとも１方には、消防従事者を冷却するための放水手段が装着可能となっている。
【００１９】
また本発明は、ノズル部材又は、ノズル部材とホースとを連結するための連結部材の少なくとも１方には、大地等の固定部に対して支持させるための支持手段が装着可能になっている。
【００２０】
そして本発明の支持手段には、鉛直方向に高さ方向の調整が可能な高さ調整手段が設けられている。
【００２１】
更に本発明の支持手段には、放水方向の角度を調整するための角度調整手段が設けられている。
【００２２】
また本発明は、ノズル部材の放水口の開口形状が、少なくとも４角形である多角形となっている。
【００２３】
そして本発明は、ノズル部材、ノズル部材とホースとを連結するための連結部材、ホースの少なくとも１つには、照明手段が装着可能になっている。
【００２４】
更に本発明は、ノズル部材とホースとを連結するための連結部材、ホースの少なくとも１つには、音響発生手段が装着可能になっている。
【００２５】
また本発明は、流入口が流体を流入させ、第１の流路が、流入口から流入された流体を第１の方向に流し、第１の方向変換手段が、第１の流路からの流体を第１の方向と逆方向である第２の方向に方向変換させ、第２の流路が、第１の方向変換手段で方向変換された流体を第２の方向に流し、第２の方向変換手段が、第２の流路からの流体を第１の方向に方向変換させ、第３の流路が、第２の方向変換手段で方向変換された流体を第１の方向に流し、流出口が第３の流路と連結されている。
【００２６】
更に本発明は、流入口が流体を流入させ、流下部が、流入口から流入された流体を、流入方向と反対方向に流下させることができる。
【００２７】
そして本発明のノズル部材に連結されるホースが、消防隊用ホースにすることもできる。
【００２８】
【原理】
【００２９】
流体力制御装置本体１０００は、流入口１００と、流入口１００から流入した流体の流れ方向を９０度偏向させるための第１の流れ方向変換部２００と、第１の流れ方向変換部２００から流入した流体の流れ方向を９０度偏向させるための第２の流れ方向変換部３００ａと、第２の流れ方向変換部３００ａから流入した流体の流れ方向を９０度偏向させるための第３の流れ方向変換部４００ａと、第３の流れ方向変換部４００ａから流入した流体の流れ方向を９０度偏向させるための第４の流れ方向変換部５００ａと、第４の流れ方向変換部５００ａから流入した流体の流れ方向を９０度偏向させるための第５の流れ方向変換部６００ａと、第５の流れ方向変換部６００ａから流入された流体を外部に流出させるための流出部７００とから構成されている流路Ａが備わっている。なお流体力制御装置本体１０００は、この流入口１００から流入された流体を第１の方向に流すための第１の流路と、この第１の流路からの流体を第１の方向と逆方向である第２の方向に方向変換させるための第１の方向変換手段（第１の流れ方向変換部２００と第２の流れ方向変換部３００ａとが相当する）と、この第１の方向変換手段で方向変換された流体を第２の方向に流すための第２の流路と、この第２の流路からの流体を第１の方向に方向変換させるための第２の方向変換手段（第３の流れ方向変換部４００ａと第４の流れ方向変換部５００ａ）と、この第２の方向変換手段で方向変換された流体を第１の方向に流すための第３の流路と、この第３の流路と連結された流出口とから構成されている。
【００３０】
また第１の流れ方向変換部２００は、２方向に分流させる様に構成されているので、第２の流れ方向変換部３００ａのみならず、第２の流れ方向変換部３００ｂにも分流される。従って流体力制御装置本体１０００の第１流路Ｂは、流入口１００と、流入口１００から流入した流体の流れ方向を９０度偏向させるための第１の流れ方向変換部２００と、第１の流れ方向変換部２００から流入した流体の流れ方向を９０度偏向させるための第２の流れ方向変換部３００ｂと、第２の流れ方向変換部３００ｂから流入した流体の流れ方向を９０度偏向させるための第３の流れ方向変換部４００ｂと、第３の流れ方向変換部４００ｂから流入した流体の流れ方向を９０度偏向させるための第４の流れ方向変換部５００ｂと、第４の流れ方向変換部５００ｂから流入した流体の流れ方向を９０度偏向させるための第５の流れ方向変換部６００ｂと、第５の流れ方向変換部６００ｂから流入された流体を外部に流出させるための流出部７００とから構成されている流路Ｂ備わっている。なお、第１の方向変換手段と第２の方向変換手段の具体的構成は、
流路Ａと同様であるから説明を省略する。
【００３１】
流体力は、一般的に以下の式で表される。
【００３２】
Ｆ＝ρＱＶ    ・・・・・第１式
【００３３】
ここで、ρは流体の密度であり、Ｑは流量、そしてＶは流速である。
【００３４】
また、Ｑ＝ＡＶ  であるから、Ｖ＝Ｑ／Ａ  となり、第１式に代入すれば、
【００３５】
Ｆ＝ρＡ＊（Ｑ２／Ａ２）＝ρ＊（Ｑ２／Ａ）  ・・・・第２式
【００３６】
となる。なお、Ａは断面積である。
【００３７】
ここで説明を簡単にするために、流入口を半径Ｒの円形とし、流体が反射して逆方向に向かう流路を、内径Ｒ、外形２Ｒの中空パイプとし、更に、流体が再反射して流出口に向かう流路を、内径２Ｒ、外形３Ｒの中空パイプとする。
【００３８】
まず、流入口１００から流量Ｑが流入したとすると、流入口１００から、流れ方向を９０度偏向させるための第１の流れ方向変換部２００までは、半径Ｒのパイプを流れることになる。従って断面積Ａ１は、Ａ１＝πＲ２  となる。
【００３９】
第２の流れ方向変換部３００ａと第２の流れ方向変換部３００ｂとで、逆方向に流れる流体は、第３の流れ方向変換部４００ａと第３の流れ方向変換部４００ｂとまでの間、内径Ｒ、外形２Ｒの中空パイプを流れることになるので、
断面積Ａ２は、Ａ２＝３πＲ２  となる。
【００４０】
更に、第４の流れ方向変換部５００ａと第４の流れ方向変換部５００ｂとで、再反射させて流れる流体は、第３の流れ方向変換部４００ａと第３の流れ方向変換部４００ｂとまでの間、内径Ｒ、外形２Ｒの中空パイプを流れることになるので、第５の流れ方向変換部６００ｂまでの間、内径２Ｒ、外形３Ｒの中空パイプを流れることになるので、断面積Ａ３は、Ａ３＝５πＲ２    となる。
【００４１】
断面積Ａ１は    πＲ２
【００４２】
断面積Ａ２は    π（２Ｒ）２−πＲ２＝４πＲ２−πＲ２＝３πＲ２
【００４３】
断面積Ａ３は    π（３Ｒ）２−π（２Ｒ）２＝９πＲ２−４πＲ２＝５πＲ２
【００４４】
Ｖ＝Ｑ／Ａ  であるから、
【００４５】
Ｆ＝ρＡ＊（Ｑ２／Ａ２）＝ρ＊（Ｑ２／Ａ）
【００４６】
となる。従って、図１の右方向の力は、
【００４７】
Ｆ１＝ρ＊（Ｑ２／πＲ２）＋ρ＊（Ｑ２／５πＲ２）
【００４８】
図１の左方向の力は、
【００４９】
Ｆ２＝ρ＊（Ｑ２／３πＲ２）
【００５０】
となる。
【００５１】
Ｆ１と、Ｆ２とは、互いに反対方向に作用することから、合力Ｆｔは、
【００５２】
2005052203.tif 000003
【００５３】
2005052203.tif 000004
【００５４】
となる。
【００５５】
従って、通常に半径Ｒのパイプを流れる場合には、
【００５６】
Ｆ０＝ρ＊（Ｑ２／πＲ２）
【００５７】
の流体力となるので、
【００５８】
2005052203.tif 000005
【００５９】
だけ、流体力を減少させることができる。
【００６０】
即ち、１４％程、流体力を減少させることができる。
【００６１】
なお、この場合は説明を簡単にするために、Ｒ、２Ｒ、３Ｒで計算したが、この半径が適宜変更されれば、断面積Ａが変化し、それに応じて流体力の減少を算出することができる。
【００６２】
【実施例】
【００６３】
本発明の実施例を図面に基づいて説明する。
【００６４】
図１は、本実施例の消防用反動低減装置１００００を説明する図である。本実施例の消防用反動低減装置１００００は、反動低減装置のひとつの応用例である。
【００６５】
消防用反動低減装置１００００の内部構造は、前述した流体力制御装置本体１０００と同様である。
【００６６】
消防用反動低減装置１００００は、第１の流れ方向変換部２００と、第２の流れ方向変換部３００と、第３の流れ方向変換部４００と、第４の流れ方向変換部５００と、第５の流れ方向変換部６００とを備えているので、流体力を減少させることができる。この結果、消防用反動低減装置１００００の不規則運動を減少させることができる。
【００６７】
本実施例の消防用反動低減装置１００００の流入口１００には、消防用ホース２００００の一端を連結する。この消防用ホース２００００の他端は、消防自動車等に連結され、高圧の水や消化剤等の流体が圧送される。この消防用反動低減装置１００００の流入口１００は、連結部材を介して消防用ホース２００００と連結することもできる。
【００６８】
本実施例の消防用反動低減装置１００００の流出部７００は、他の消防用ホース２００００と連結することもでき、更に、放出ノズル等を取り付けることもできる。
【００６９】
なお消防用反動低減装置１００００には、図２に示す様に、放水手段１１０００と、支持手段１２０００と、照明装置１３０００と、音響発生手段１４０００とを装備することもできる。この放水手段１１０００と、支持手段１２０００と、照明装置１３０００と、音響発生手段１４０００等とは、消防用反動低減装置１００００のみならず、連結部材に形成する構成にすることもできる。
【００７０】
消防用反動低減装置１００００の少なくとも一部が布や、ゴム等の非金属材料で形成することができる。従来の放水ノズル等に比較して、重量が小さく、消防隊員等の作業者が長時間保持続しても、体力を過剰に消耗することもなく、極めて安全であるという効果がある。消防用反動低減装置１００００は、軽合金や、真鍮から構成することもできる。
【００７１】
消防用反動低減装置１００００には、消防従事者を冷却するための放水手段１１０００を備えることができる。この放水手段１１０００は、例えば消防従事者がレバー等を引くことにより、コック等が解放され、消防用反動低減装置１００００内の水を放出させることもできる。なお放水手段１１０００は、消防従事者の意思に基づき、消防用反動低減装置１００００内の水を放出させる構成であれば何れの放水装置を採用することができる。放水手段１１０００は、簡便な小穴から形成することもできる。
【００７２】
また消防用反動低減装置１００００には、大地等の固定部に対して、消防用反動低減装置１００００を支持するための支持手段１２０００が設けられている。
この支持手段１２０００は、本実施例では、三脚が使用されている。この三脚は、消防用反動低減装置１００００を取り付けるための雲台と、この雲台を上下方向に移動させるためのエレベータ手段とが備えられている。この雲台を水平方向に回転させることにより、消防用反動低減装置１００００を左右に振ることが可能となる。更に雲台を傾かせることにより、消防用反動低減装置１００００の鉛直方向の放水方向を角度を調整することができる。
【００７３】
エレベータ手段により、消防用反動低減装置１００００も高さを調整することもできる。なお固定部は大地に限ることなく、建物等であってもよい。
【００７４】
本発明は、高圧力からなる反動力（流体力）を減少させると共に、重い金属性の放水ノズルや水圧の掛かっている重いホースを、支持受け（台座）の支持手段１２０００によって、支えると共に、上下左右に容易に方向を設定することができるので、プロフェッショナルの消防隊のみならず、一般人の男性や、女性の場合でも、容易に操作できるという卓越した効果がある。即ち本実施例は、放水方向を上下左右に自由に変更させることができるという効果がある。
【００７５】
また本実施例の消防用反動低減装置１００００の流出部７００には、適宜の放出ノズル等を取り付けることもできるが、この開口形状は、例えば４角形とすることもできる。更に放出ノズルは、消防用反動低減装置１００００の側部の適宜の位置に取り付けることも可能である。
【００７６】
放出ノズルの開口形状が４角形の場合には、放水される水の断面形状も矩形に近似され、密集した住宅街の火災における隣接建物の壁体の消火作業や残化処理、更に、山火事等の広範囲に渡る消火作業等に最適である。
【００７７】
更に放出ノズルの開口形状を４角形とすれば、幅広く消火が可能となり、大震災時や、山林火災等の消火作業や、或いは道路や港湾上の事故による油の流出に対する洗浄作業に最適である。
【００７８】
なお消火作業においては、一般の消火ホース用ノズルと併用することもできる。
【００７９】
更に本実施例の消防用反動低減装置１００００には、照明装置１３０００を取り付けることもできる。
【００８０】
この照明装置１３０００の電源装置は、充電式のバッテリー装置を使用することもでき、更に、消防用ホースに電力供給ケーブルを取り付けて消防車等から電力を供給することもできる。また消火作業の当初は、充電式のバッテリー装置から電力を供給し、バッテリー装置の充電電力が低下した後には、電力供給ケーブルからの供給電力を利用する構成にすることもできる。また、電力供給ケーブルからの供給電力を利用して、充電式のバッテリー装置を充電することもできる。
【００８１】
この照明装置１３０００は、消火現場の照明のみならず、情報の伝達にも使用することができる。例えば、照明装置１３０００から発光する光を着色し、色彩の変化で情報を伝達することができる。例えば、照明装置１３０００が赤色の場合には、消火作業中であるとか、危険等を意味し、黄色の発光の場合には、火勢がやや下火になった等を意味し、更に、青色の発光の場合には、鎮火又は安全状態、更に、消火作業の最終段階等を情報を他の消防隊員等に伝達することができる。
【００８２】
また照明装置１３０００は、消火現場の照明にも有用である。火災現場が建物の内部の場合には、停電により室内が暗くなり、充満する煙によって更に暗闇となる。この場合でも照明装置１３０００により、消防ホースの配設具合や、室内の状態を視認可能とし、安全な消化作業が行えるという効果がある。
【００８３】
そして照明装置１３０００は、消防用反動低減装置１００００の外部に取付可能に構成し、周囲に光を投射させる構成にしてもよく、更に、消防用反動低減装置１００００の内部に照明装置１３０００を内蔵させ、光を消防用反動低減装置１００００の外に投射させる構成にすることもできる。
【００８４】
更に本実施例の消防用反動低減装置１００００には、音響発生手段１４０００を取り付けることもできる。
【００８５】
音響発生手段１４０００は、警報音や適宜のメロディー等を発音させることができる。この音響発生手段１４０００が発音する音は、情報の伝達にも使用することができる。例えば、連続で高い音量が発せられる場合には、危険が迫っていることを意味し、「ビービービー」という音の場合には、他の消防隊員等の応援や支援を求めていることを意味するものである。
【００８６】
また消火作業終了時には、音響発生手段１４０００から適宜の音楽等を流すことも可能である。この場合には、長時間に渡る危険な消火作業による消防隊員等の疲労を、心を癒すメロディにより和ませることができるという効果がある。
【００８７】
なお音響発生手段１４０００から発生させる音は、音を記憶させているメモリ手段等を交換することにより、適宜変更することも可能である。
【００８８】
次に、消防用反動低減装置１００００の変形例である反動低減装置５００００を説明する。反動低減装置５００００は、流体を流入させるための流入口５１０００と、この流入口５１０００から流入された流体を、流入方向と反対方向に流下させるための流下部５２０００とから構成されている。反動低減装置５００００は、消防用ホース２００００に連結され、流下部５２０００を流れる流体の方向は、消防用ホース２００００を流れる流体の方向と逆となる。このため消防用ホース２００００を流れる流体の流体力を減少させることができる。
【００８９】
流下部５２０００を流れる流体は、反動低減装置５００００に入る流入方向と反対方向となるので、消防用ホース２００００を流れる流体の流体力を打ち消す様に力が働くこととなる。このため簡便な構成で、消防用ホース２００００を流れる流体の流体力を減少させることができるという効果がある。
【００９０】
以上の様に構成された本実施例は、消防ポンプから圧送された放水圧力（又は送水圧力）による放水ノズル等の不規則運動を低減させるものである。放水圧力（又は送水圧力）により、送水方向に流体力が発生する。この流体力に対しては、反作用としての力も作用する。これらの流体力は、送水方向を変換させることにより、逆方向に作用させることができる。
【００９１】
これらの送水方向を変換を利用して、流体力を低下させ、放水ノズル等の不規則運動を低減させることができる。即ち放水ノズル等の流体力を低減させ、放水（送水）減反動又は放水（送水）低反動を実現できる。なお流体は、水に限ることなく、原油、その他、あらゆる種類の流体を使用することができる。
【００９２】
ここで、放水（送水）減反動又は放水（送水）低反動を再考することにする。
通常、消防ポンプから圧送された放水圧力（又は送水圧力）があると、この圧力が右方向であれば、反対方向である左方向に反動力が発生する。この反動力を放水（又は送水）反動力と呼ぶことにする。この放水（又は送水）反動力は、放水圧力（又は送水圧力）と反対方向に働くので、放水圧力（又は送水圧力）を折り返す等により、放水圧力（又は送水圧力）の作用方向を逆転させ、流体力を低減させれば、放水（送水）減反動又は放水（送水）低反動を実現できる。
【００９３】
【効果】
以上の様に構成された本発明は、消防隊等が使用する消防用ホースに連結する等に好適な流体放出手段であり、照明手段等の各種付属装置が備えられており、付加価値が高いという効果がある。
【００９４】
更に反動低減装置が備えられれば、消防用ホースの不規則運動を減少させることができるという卓越した効果がある。
【００９５】
【図面の簡単な説明】
【図１】本発明の実施例の流体力制御装置の構成を示す図である。
【図２】本発明の実施例の消防用反動低減装置の構成を示す図である。
【図３】本発明の実施例の反動低減装置の変形例の構成を示す図である。
【符号の説明】
１００００  消防用反動低減装置
２００００  消防用ホース
５００００  反動低減装置
１０００    流体力制御装置本体
１００  流入口
２００  第１の流れ方向変換部
３００  第２の流れ方向変換部
４００  第３の流れ方向変換部
５００  第４の流れ方向変換部
６００  第５の流れ方向変換部６００
７００  流出部
１１０００  放水手段
１２０００  支持手段
１３０００  照明装置
１４０００  音響発生手段
【図１】
2005052203.tif 000006
【図２】
2005052203.tif 000007
【図３】
2005052203.tif 000008